(57)【要約】【課題】当接音防止専用の別部材を設けることなく、ロック状態における当接音の発生を防止する光ディスク再生装置を得ることを提供する。【解決手段】第３スライド部材５１には光ディスク再生部２５の第２被保持ピン３３および第３被保持ピン３５を保持する第２溝６９および第３溝７１が形成されている。各溝の上部領域７７および８１には第２長穴７９および第３長穴８３が形成されている。各長穴は各溝に各被保持ピンが保持された際に各被保持ピンの外形寸法に応じて各上部領域の撓み変形を可能にする。【選択図】        図５
2004334960.tif 000002
【特許請求の範囲】
【請求項１】
シャーシと、該シャーシに揺動可能に支持されかつ光学式ディスク状記録媒体の挿排方向と直交する方向に延びる凸部を有すると共に前記光学式ディスク状記録媒体を再生する光ディスク再生部と、前記光学式ディスク状記録媒体の挿排方向の両側部に該挿排方向に沿って移動可能に配設されたスライド部材と、該スライド部材に形成されかつ前記光学式ディスク状記録媒体排出状態において前記光ディスク再生部の凸部を保持する保持溝と、該保持溝の溝幅を前記凸部の外形寸法に応じて変更する弾性手段とを備えたことを特徴とする光ディスク再生装置。
【請求項２】
弾性手段は、スライド部材の一部であって保持溝の一部を構成する上部領域と、該上部領域に前記保持溝から離れて形成されかつ前記保持溝に光ディスク再生部の凸部が保持された際に前記上部領域の撓み変形を可能にする穴とから構成されたことを特徴とする請求項１記載の光ディスク再生装置。
【請求項３】
弾性手段は、スライド部材の一部であって保持溝を構成する上部領域の少なくとも一部に形成されかつ前記保持溝に光ディスク再生部の凸部が保持された際に弾性変形する薄肉部であることを特徴とする請求項１記載の光ディスク再生装置。
【発明の詳細な説明】
【０００１】
【発明の属する技術分野】
この発明は、例えば自動車等の移動体に搭載可能であり、コンパクトディスク（ＣＤ）やデジタルバーサタイルディスク（ＤＶＤ）等の光学式ディスク状記録媒体（以下、光ディスクという）に記録された信号を読み取るための光ディスク再生装置に関するものである。
【０００２】
【従来の技術】
従来の車載用光ディスク再生装置としては、例えば特許文献１に記載された構造が知られている。この光ディスク再生装置は、光ディスクの挿排を行う挿排口を有する函状のシャーシと、このシャーシに対して弾性手段材により揺動可能に支持されかつ光ディスクの挿排方向と直交する方向に延びる凸部を有すると共に光ディスクの記録を再生する光ディスク再生部と、光ディスクの挿排方向の両側部にその挿排方向に沿って移動可能に配設されたスライド部材と、このスライド部材に形成されかつ光ディスク排出状態において光ディスク再生部の凸部を支持する支持溝とを備えている。
【０００３】
この光ディスク再生装置の光ディスク再生部は、光ディスク排出時に光ディスク再生部の凸部がスライド部材の支持溝に支持されることにより光ディスク再生部がシャーシに対して固定されるロック状態と、光ディスク再生時に光ディスクの凸部がスライド部材の支持溝から離れることにより光ディスク再生部がシャーシに対して揺動可能に支持されるアンロック状態とを採ることが可能である。アンロック状態では、車両の走行中に発生する振動が弾性手段材に吸収されることから光ディスク再生部による光ディスクの再生への影響が最小限に抑制され、ロック状態では、光ディスク再生部をシャーシに対して固定して光ディスクを挿排口から確実に排出するための光ディスク搬送面が確保される。
【０００４】
なお、従来の光ディスク再生装置では、アンロック状態からロック状態へ移行する際に、光ディスク再生部の凸部がスライド部材の支持溝の一部に引っ掛かりなどの動作不良の発生を防止するために、支持溝内に凸部が支持されたときに凸部と支持溝との間に若干のクリアランスが生じるように凸部および支持溝の各寸法が設定されている。
【０００５】
【特許文献１】
特開２０００−４８４４５号公報（図２および図４）
【０００６】
【発明が解決しようとする課題】
しかし、従来の光ディスク再生装置は上述のような構成を有しているので、以下のような課題があった。すなわち、従来の光ディスク再生装置では、ロック状態で車両の走行中に発生する振動等の衝撃を受けた場合、凸部と支持溝との間に存在するクリアランスのために凸部と支持溝とが振動等の衝撃により互いに当接して当接音が発生してしまうという課題があった。ここで、当接音の発生防止策として、凸部および支持溝のいずれか一方または両方に専用の別部材を設けることが考えられるが、この対策は部品点数や組立工数の増加による大幅なコスト増を招くことになり、一般に採用が困難である。
【０００７】
この発明は上記のような課題を解決するためになされたもので、当接音防止専用の別部材を設けることなく、ロック状態における当接音の発生を防止する光ディスク再生装置を得ることを目的とする。
【０００８】
【課題を解決するための手段】
この発明に係る光ディスク再生装置は、シャーシと、該シャーシに揺動可能に支持されかつ光学式ディスク状記録媒体の挿排方向と直交する方向に延びる凸部を有すると共に前記光学式ディスク状記録媒体を再生する光ディスク再生部と、前記光学式ディスク状記録媒体の挿排方向の両側部に該挿排方向に沿って移動可能に配設されたスライド部材と、該スライド部材に形成されかつ前記光学式ディスク状記録媒体排出状態において前記光ディスク再生部の凸部を保持する保持溝と、該保持溝の溝幅を前記凸部の外形寸法に応じて変更する弾性手段とを備えるように構成したものである。
【０００９】
【発明の実施の形態】
以下、この発明の実施の一形態を説明する。
実施の形態１．
図１はこの発明の実施の形態１による光ディスク再生装置の外部構成を示す概略斜視図であり、図２は図１に示した光ディスク再生装置の光ディスク排出状態における内部構成を右斜め上方から見た斜視図であり、図３は図１に示した光ディスク再生装置の光ディスク排出状態における内部構成を左斜め上方から見た斜視図であり、図４は図１に示した光ディスク再生装置の光ディスク排出状態における外部構成を左側から見た側面図であり、図５は図４に示した光ディスク再生装置における１つのスライド部材を内側から見た側面図であり、図６は図１に示した光ディスク再生装置の光ディスク再生状態における内部構成を右斜め上方から見た斜視図であり、図７は図１に示した光ディスク再生装置の光ディスク再生状態における内部構成を左斜め上方から見た斜視図であり、図８は図１に示した光ディスク再生装置の光ディスク再生状態における外部構成を右側から見た側面図である。なお、図１、図２および図６においては右下側を前方とし、左上側を後方とする。図３および図７においては左下側を前方とし、右上側を後方とする。図４および図８においては右側を前方とし、左側を後方とする。図５においては左側を前方とし、右側を後方とする。
【００１０】
図１に示すように、光ディスク再生装置１は函状のシャーシ３を備えている。シャーシ３は光ディスクＡの挿排方向（矢印Ｂ方向およびＣ方向）の前部に光ディスクＡの挿排を行う挿排口５を有している。シャーシ３の挿排口５には、光ディスクＡをその挿排方向に搬送するための搬送ローラ７が回転軸９に回転可能に配設されている。搬送ローラ７はシャーシ３の挿排口５の下部に配置された光ディスク搬送動力伝達部材１１により回転可能である。
【００１１】
光ディスク搬送動力伝達部材１１は、回転駆動モータ１３と、この回転駆動モータ１３の回転駆動力を上記搬送ローラ７に伝達するための複数のギア１５とから概略構成されている。光ディスク搬送動力伝達部材１１の上部には、搬送ローラ７の回転軸９に回動可能に支持されかつシャーシ３の挿排口５を開閉する光ディスク搬送部材１７が配設されている。
【００１２】
光ディスク搬送部材１７は、上記搬送ローラ７に加えて、回転軸９に対する軸受部（図示せず）を有すると共に上げた状態で上記挿排口５を塞ぎかつ下げた状態で上記挿排口５に光ディスクＡの搬送路を確保する略矩形状の板部１９と、この板部１９の一側端（この実施の形態１では左側端）に形成されかつ光ディスクＡの挿排方向と直交する方向に延びる第１ピン２１と、上記板部１９の他側端（この実施の形態１では右側端）に形成されかつ上記第１ピン２１とは反対方向に延びる第２ピン２３とを備えている。
【００１３】
シャーシ３内には、光ディスクＡの記録を再生する光ディスク再生部２５がコイルばねやゴム等の弾性部材（図示せず）により揺動可能に配設されている。弾性部材（図示せず）が車両走行中に発生する振動等の衝撃を吸収するため、光ディスク再生部２５は再生状態にある光ディスクＡと共に、車両走行中に発生する振動等の衝撃から保護される。これにより、光ディスク再生部２５は、車両走行中であっても、車両停車時と同程度の品質で、光ディスクＡの記録再生を行うことが可能である。
【００１４】
光ディスク再生部２５は、上記弾性部材（図示せず）によりシャーシ３に支持された板状のベース部材２７と、このベース部材２７上に設けられかつ光ディスクＡを回転可能に支持するターンテーブル２９と、このターンテーブル２９上に載置された光ディスクＡの半径方向に沿って往復移動可能に上記ベース部材２７に支持されかつ光ディスクＡの記録再生を光学的に行う光ピックアップ３０と、この光ピックアップ３０の往復移動および上記ターンテーブル２９の回転に対してそれぞれ駆動力を与える複数のアクチュエータ（図示せず）とから概略構成されている。ベース部材２７の一側部（この実施の形態１では左側部）には光ディスクＡの挿排方向と直交する方向（シャーシ３の左外方）に延びる第１被保持ピン（凸部）３１が設けられており、他側部（この実施の形態１では左側部）には上記第１被保持ピン３１とは反対方向（シャーシ３の右外方）に延びる第２被保持ピン（凸部）３３および第３被保持ピン（凸部）３５が設けられている。
【００１５】
シャーシ３の後部には、光ディスク再生部２５上に載置された光ディスクＡを保持する光ディスク保持手段３７が回動可能に配設されている。光ディスク保持手段３７は、光ディスク再生部２５のターンテーブル２９に対応する略円盤状のクランパ３９と、このクランパ３９を先端部において揺動可能に支持しかつ基部においてシャーシ３の後部に回動可能に支持された略三角形状のクランプアーム４１と、このクランプアーム４１に支持されたクランパ３９をターンテーブル２９に向けて付勢する引っ張りばね等の付勢手段（図示せず）と、後述の第２スライド部材の動作によって上記付勢手段の付勢力に抗してターンテーブル２９上の光ディスクＡからクランパ３９を離間させる光ディスク保持解除機構（図示せず）とから概略構成されている。
【００１６】
シャーシ３の一側部（この実施の形態１では左側部）には、光ディスクＡの挿排方向に沿って移動可能な略板状の第１スライド部材４７および第２スライド部材４９が配設されており、他側部（この実施の形態１では左側部）には、上記光ディスクＡの挿排方向に沿って移動可能な略板状の第３スライド部材５１が配設されている。
【００１７】
第１スライド部材４７は、光ディスク搬送動力伝達部材１１のギア１５と噛合可能なラック５３と、このラック５３よりも前方に位置し光ディスクＡの再生時に光ディスク搬送動力伝達部材１１により第１スライド部材４７が矢印Ｃ方向に移動した際に光ディスク搬送部材１７の第１ピン２１を押圧して挿排口５を閉じる方向に光ディスク搬送部材１７を回動させる斜面部５５とを備えている。
【００１８】
第２スライド部材４９は上記第１スライド部材４７に隣接して配設されており、光ディスク搬送動力伝達部材１１のギア１５と噛合可能なラック５０と、光ディスク再生部２５の第１被保持ピン３１の挿入を受け入れる第１溝（保持溝）５７とを備えている。第１溝５７は、上記第１被保持ピン３１の外径より大きい内径を有する後部円形溝部５９と、この後部円形溝部５９に連続して形成されかつ上記第１被保持ピン３１の外径と同一あるいは当該外形より若干小さい溝幅を有する前部長溝部６１とを備えた略テニスラケット状の開口部である。
【００１９】
第１溝５７の前部長溝部６１の上部には第２スライド部材４９の一部であって前部長溝部６１の一部を構成する上部領域（弾性手段）６３が形成されており、この上部領域６３には前部長溝部６１から離れて形成されかつ第２スライド部材４９が矢印Ｃ方向に移動して第１溝５７の前部長溝部６１に光ディスク再生部２５の第１被保持ピン３１が保持された際に上部領域６３の撓み変形を可能にする第１長穴（弾性手段）６５が形成されている。ここで、前部長溝部６１内に保持された第１被保持ピン３１の押圧により前部長溝部６１の一部を構成する上部領域６３が第１長穴６５側へ撓み変形するように、上記第１被保持ピン３１による押圧力に対応する第２スライド部材４９の上部領域６３の撓み量等を勘案して第１長穴６５を形成する位置が決められる。このような上部領域６３と第１長穴６５とは、前部長溝部６１の溝幅を第１被保持ピン３１の外径寸法（外形寸法）に応じて変更する弾性手段を構成している。
【００２０】
第３スライド部材５１は、光ディスク搬送部材１７の第２ピン２３を移動可能に受け入れるカム溝６７と、このカム溝６７よりも後方に位置し光ディスク再生部２５の第２被保持ピン３３の挿入を受け入れる第２溝（保持溝）６９と、この第２溝６９よりも後方に位置し第３スライド部材５１が矢印Ｃ方向に移動した際に光ディスク再生部２５の第３被保持ピン３５を保持する第３溝（保持溝）７１とを備えている。
【００２１】
カム溝６７は第３スライド部材５１の内側面に斜めに形成されており、例えば光ディスクＡの排出時に光ディスク搬送部材１７が図３に示すように挿排口５を開ける方向に回動する際に第２ピン２３がカム溝６７内を下から上へ移動することで第３スライド部材５１を矢印Ｃ方向へ移動させることが可能であり、また光ディスクＡの再生時に光ディスク搬送部材１７が図７に示すように挿排口５を閉じる方向に回動する際に第２ピン２３がカム溝６７内を上から下へ移動することで第３スライド部材５１を矢印Ｂ方向へ移動させることが可能である。
【００２２】
第２溝６９は、上記第２被保持ピン３３の外径より大きい内径を有する後部円形溝部７３と、この後部円形溝部７３に連続して形成されかつ上記第２被保持ピン３３の外径と同一あるいは当該外形より若干小さい溝幅を有する前部長溝部７５とを備えた略テニスラケット状の開口部である。
【００２３】
第２溝６９の前部長溝部７５の上部には、第３スライド部材５１の一部であって前部長溝部７５の一部を構成する上部領域（弾性手段）７７が形成されており、この上部領域７７には前部長溝部７５から離れて形成されかつ第３スライド部材５１が矢印Ｃ方向に移動して第２溝６９の前部長溝部７５に光ディスク再生部２５の第２被保持ピン３３が保持された際に上部領域７７の撓み変形を可能にする第２長穴（弾性手段）７９が形成されている。ここで、前部長溝部７５内に保持された第２被保持ピン３３の押圧により前部長溝部７５の一部を構成する上部領域７７が第２長穴７９側へ撓み変形するように、上記第２被保持ピン３３による押圧力に対応する第３スライド部材５１の上部領域７７の撓み量等を勘案して第２長穴７９を形成する位置が決められる。このような上部領域７７と第２長穴７９とは、前部長溝部７５の溝幅を第２被保持ピン３３の外径寸法（外形寸法）に応じて変更する弾性手段を構成している。
【００２４】
第３溝７１は、後方に向けて開口し、上記第３被保持ピン３５の外径と同一あるいは当該外形より若干小さい溝幅を有する切欠き部である。第３溝７１の上部には、第３スライド部材５１の一部であって第３溝７１の一部を構成する上部領域（弾性手段）８１が形成されており、この上部領域８１には第３溝７１から離れて形成されかつ第３スライド部材５１が矢印Ｂ方向に移動して第３溝７１に光ディスク再生部２５の第３被保持ピン３５が保持された際に上部領域８１の撓み変形を可能にする第３長穴（弾性手段）８３が形成されている。ここで、第３溝７１内に保持された第３被保持ピン３５の押圧により第３溝７１の一部を構成する上部領域８１が第３長穴８３側へ撓み変形するように、上記第３被保持ピン３５による押圧力に対応する第３スライド部材５１の上部領域８１の撓み量等を勘案して第３長穴８３を形成する位置が決められる。このような上部領域８１と第３長穴８３とは、第３溝７１の溝幅を第３被保持ピン３５の外径寸法（外形寸法）に応じて変更する弾性手段を構成している。
【００２５】
なお、シャーシ３内には、光ディスクＡの排出時に、光ディスク再生部２５の第１被保持ピン３１、第２被保持ピン３３および第３被保持ピン３５を固定するロック部材（図示せず）がそれぞれ配設されている。また、シャーシ３内には、光ディスクＡの挿排口５からの挿入および排出を検知する光ディスク挿入排出検知手段（図示せず）と、挿排口５から挿入された光ディスクＡが再生位置（ローディング完了位置）まで搬送されると第１スライド部材４７を矢印Ｃ方向に所定量だけ移動させる光ディスク移動量検知手段（図示せず）が配設されている。
【００２６】
次に動作について説明する。
まず、光ディスクＡの挿入動作について説明する。図１に示すように、光ディスクＡが光ディスク再生装置１の挿排口５から挿入されると、光ディスク挿入排出検知手段（図示せず）により光ディスクＡの挿入が検知される。この検知信号に基いて、図２から図４までに示すように、光ディスク搬送動力伝達部材１１の回転駆動モータ１３の駆動力が複数のギア１５を介して光ディスク搬送部材１７の搬送ローラ７に伝達されることで、光ディスクＡがシャーシ３内の所定位置まで矢印Ｂ方向に搬送される。光ディスクＡの搬送が完了すると、光ディスク移動量検知手段（図示せず）が第１スライド部材４７に当接して矢印Ｃ方向へ所定量だけ移動させる。この移動により、第１スライド部材４７のラック５３が光ディスク搬送動力伝達部材１１のギア１５に噛合すると、ギア１５を介して伝達される光ディスク搬送動力伝達部材１１の回転駆動力により第１スライド部材４７が矢印Ｃ方向にさらに移動する。このとき、図７に示すように、第１スライド部材４７の斜面部５５が光ディスク搬送部材１７の第１ピン２１を押圧して光ディスク搬送部材１７の板部１９を上げる方向に回動させ、これにより挿排口５を塞ぐ。また、第１スライド部材４７が所定量だけ移動すると、図７に示すように、第１スライド部材４７の動作に連動して第２スライド部材４９もラック５０で光ディスク搬送動力伝達部材１１からの動力を受けて矢印Ｃ方向に移動し、これにより光ディスク保持手段３７を図示しない付勢手段の付勢力により降下させてクランパ３９を光ディスク再生部２５のターンテーブル２９上に載置された光ディスクＡの中央部分に当接させる。これにより、光ディスクＡはターンテーブル２９上に回転可能に保持される。
【００２７】
また、第２スライド部材４９が移動すると、光ディスク再生部２５の第１被保持ピン３１を固定していたロック部材（図示せず）が回動し、第１被保持ピン３１が第２スライド部材４９の第１溝５７の前部長溝部６１から後部円形溝部５９へ相対的に移動することにより、第１被保持ピン３１に対するロックが解除される。その際、第１被保持ピン３１は前部長溝部６１の上部に位置する上部領域６３を上方へ押圧し、この上部領域６３を第１長穴６５側に撓ませながら移動する。上述の光ディスク移動量検知手段（図示せず）により光ディスクＡの搬送が完了すると、光ディスク搬送動力伝達部材１１からの第２スライド部材４９のラック５０への動力伝達が停止して第２スライド部材４９のローディング動作が完了する。
【００２８】
さらに、第１スライド部材４７の矢印Ｃ方向への移動により回動する光ディスク搬送部材１７の第２ピン２３が第３スライド部材５１のカム溝６７内を移動することにより、第３スライド部材５１も矢印Ｃ方向へ移動する。このとき、光ディスク再生部２５の第２被保持ピン３３を固定していたロック部材（図示せず）が回動し、第２被保持ピン３３が第３スライド部材５１の第２溝６９の前部長溝部７５から後部円形溝部７３へ相対的に移動することにより、第２被保持ピン３３に対するロックが解除される。その際、第２被保持ピン３３は前部長溝部７５の上部に位置する上部領域７７を上方へ押圧し、この上部領域７７を第２長穴７９側に撓ませながら移動する。また、光ディスク再生部２５の第３被保持ピン３５を固定していたロック部材（図示せず）が回動し、第３被保持ピン３５が第３スライド部材５１の第３溝７１から外れることにより、第３被保持ピン３５に対するロックが解除される。その際、第３被保持ピン３５は第３溝７１の上部に位置する上部領域８１を上方へ押圧し、この上部領域８１を第３長穴８３側に撓ませながら移動する。
【００２９】
このような光ディスクＡの再生状態（アンロック状態）では、光ディスク再生部２５の第１被保持ピン３１、第２被保持ピン３３および第３被保持ピン３５がロック解除されており、光ディスク再生部２５が弾性部材（図示せず）を介してシャーシ３に揺動可能に支持されている。このため、再生状態にある光ディスク再生部２５は車両走行中に発生する振動等の衝撃から確実に保護される。
【００３０】
次に、光ディスクＡの排出動作について説明する。
まず、光ディスクＡの排出指示を受け付けると、図５から図７までに示すように、光ディスク搬送動力伝達部材１１の回転駆動モータ１３の駆動力が複数のギア１５を介して光ディスク搬送部材１７の搬送ローラ７、第１スライド部材４７および第２スライド部材４９に伝達されることで、光ディスクＡは矢印Ｃ方向に移動し、第１スライド部材４７および第２スライド部材４９は矢印Ｂ方向に移動する。第２スライド部材４９が移動すると、ロック部材（図示せず）が回動し、第１被保持ピン３１が第２スライド部材４９の第１溝５７の後部円形溝部５９から前部長溝部６１へ相対的に移動することにより、第１被保持ピン３１がロックされる。その際、第１被保持ピン３１は前部長溝部６１の上部に位置する上部領域６３を上方へ押圧し、この上部領域６３を第１長穴６５側に撓ませながら移動する。
【００３１】
また、第１スライド部材４７の矢印Ｂ方向への移動により回動する光ディスク搬送部材１７の第２ピン２３が第３スライド部材５１のカム溝６７内を移動することにより、第３スライド部材５１も矢印Ｂ方向へ移動する。このとき、光ディスク再生部２５の第２被保持ピン３３を固定していたロック部材（図示せず）が回動し、第２被保持ピン３３が第３スライド部材５１の第２溝６９の後部円形溝部７３から前部長溝部７５へ相対的に移動することにより、第２被保持ピン３３がロックされる。その際、第２被保持ピン３３は前部長溝部７５の上部に位置する上部領域７７を上方へ押圧し、この上部領域７７を第２長穴７９側に撓ませながら移動する。また、光ディスク再生部２５の第３被保持ピン３５を固定していたロック部材（図示せず）が回動し、第３被保持ピン３５が第３スライド部材５１の第３溝７１に保持されることにより、第３被保持ピン３５がロックされる。その際、第３被保持ピン３５は第３溝７１の上部に位置する上部領域８１を上方へ押圧し、この上部領域８１を第３長穴８３側に撓ませながら移動する。
【００３２】
ここで、第２スライド部材４９は、そのラック５０と光ディスク搬送動力伝達部材１１のギア１５との噛合が外れる位置まで矢印Ｂ方向に移動し、この位置以降は第１スライド部材４７の押圧により排出完了位置まで移動し、その排出完了位置で第１スライド部材４７の押圧が外れる。一方、第１スライド部材４７は、そのラック５３と光ディスク搬送動力伝達部材１１のギア１５との噛合が外れる位置まで矢印Ｂ方向に移動する。光ディスクＡは光ディスク搬送動力伝達部材１１から光ディスク搬送部材１７へ伝達された動力で矢印Ｃ方向に搬送され、搬送完了位置で停止する。光ディスクＡが搬送完了位置に搬送されたことは光ディスク挿入排出検知手段（図示せず）により検知される。
【００３３】
このような光ディスクＡの排出状態（ロック状態）では、光ディスク再生部２５の第１被保持ピン３１が第２スライド部材４９の前部長溝部６１に弾性的に保持され、かつ第２被保持ピン３３および第３被保持ピン３５が第３スライド部材５１の前部長溝部７５および第３溝７１に弾性的に保持されている。このため、光ディスクＡの排出状態にある光ディスク再生部２５は車両走行中に発生する振動等の衝撃を受けても、従来の光ディスク再生装置のピンと溝とのクリアランスにより発生していた当接音の発生が確実に防止される。
【００３４】
以上のように、この実施の形態１によれば、シャーシ３と、このシャーシ３に揺動可能に支持されかつ光ディスクＡの挿排方向と直交する方向に延びる第１被保持ピン３１、第２被保持ピン３３および第３被保持ピン３５を有する光ディスク再生部２５と、光ディスクＡの挿排方向の両側部に該挿排方向に沿って移動可能に配設された第２スライド部材４９および第３スライド部材５１と、これら第２スライド部材４９および第３スライド部材５１に形成されかつ光ディスクＡの排出状態において光ディスク再生部２５の第１被保持ピン３１、第２被保持ピン３３および第３被保持ピン３５を保持する第１溝５７、第２溝６９および第３溝７１と、これら第１溝５７、第２溝６９および第３溝７１の溝幅を第１被保持ピン３１、第２被保持ピン３３および第３被保持ピン３５の外形寸法に応じて変更する上部領域６３および第１長穴６５、上部領域７７および第２長穴７９、上部領域８１および第３長穴８３の各組み合わせからなる弾性手段とを備えるように構成したので、従来の光ディスク再生装置のように光ディスク再生部のピンと溝との間にクリアランスを設ける必要がなく、光ディスクＡの排出状態で、上記弾性手段により車両走行中に発生する振動等の衝撃を吸収しかつ溝内にピンを確実に保持してピンとこれに対応する溝との当接音の発生を防止することができるという効果がある。また、当接音防止専用の別部材を設ける必要がないので、部品点数や組立工数の増加による大幅なコスト増を招くことがないという効果がある。
【００３５】
この実施の形態１によれば、弾性手段として第１溝５７、第２溝６９および第３溝７１の上部に位置する上部領域６３および第１長穴６５、上部領域７７および第２長穴７９、上部領域８１および第３長穴８３の組み合わせを採用することで、車両走行中に発生する振動等の衝撃を第１溝５７、第２溝６９および第３溝７１の上部で吸収し、第１溝５７、第２溝６９および第３溝７１の下部に弾性を付与しないように構成したので、排出状態にある光ディスクＡの高さを安定させることができるという効果がある。
【００３６】
実施の形態２．
図９はこの発明の実施の形態２による光ディスク再生装置における１つのスライド部材を内側から見た側面図である。なお、この実施の形態２の構成要素のうち、実施の形態１の構成要素と共通するものについては同一符号を付し、その部分の説明を省略する。また、図９においては図５と同様に左側を前方とし、右側を後方とする。
【００３７】
この実施の形態２の特徴は、弾性手段として薄肉部を採用した点にある。すなわち、この実施の形態２では、第３スライド部材５１の第２溝６９の上部領域７７に薄肉部（弾性手段）８５が形成され、第３溝７１の上部領域８１に薄肉部（弾性手段）８７が形成されている。なお、第２スライド部材４９の第１溝５７の上部領域６３にも薄肉部（弾性手段、図示せず）が形成されている。また、いずれの薄肉部も、対応する溝の上部領域全体に形成されてもよいが、被保持ピンの保持位置に必要な弾性を付与できれば、各上部領域の一部に形成されてもよい。
【００３８】
以上のように、この実施の形態２によれば、弾性手段として薄肉部を採用するように構成したので、実施の形態１における弾性手段と同様に、各薄肉部により車両走行中に発生する振動等の衝撃を吸収し、ピンとこれに対応する溝との当接音の発生を確実に防止することができるという効果がある。
【００３９】
なお、実施の形態２では実施の形態１の弾性手段と異なる弾性手段を示したが、実施の形態１の弾性手段と実施の形態２の弾性手段とを組み合わせて各スライド部材を構成しても、上記効果と同様の効果がある。
【００４０】
また、この実施の形態１および実施の形態２では、シャーシ３の左側に第１スライド部材４７および第２スライド部材４９を配設しかつシャーシ３の右側に第３スライド部材５１を配設したが、各部材等の配置構成を左右反対にしても上記効果と同様の効果がある。
【００４１】
【発明の効果】
以上のように、この発明によれば、シャーシと、該シャーシに揺動可能に支持されかつ光学式ディスク状記録媒体の挿排方向と直交する方向に延びる凸部を有すると共に前記光学式ディスク状記録媒体を再生する光ディスク再生部と、前記光学式ディスク状記録媒体の挿排方向の両側部に該挿排方向に沿って移動可能に配設されたスライド部材と、該スライド部材に形成されかつ前記光学式ディスク状記録媒体排出状態において前記光ディスク再生部の凸部を保持する保持溝と、該保持溝の溝幅を前記凸部の外形寸法に応じて変更する弾性手段とを備えるように構成したので、光ディスク再生部の凸部とスライド部材の保持溝との間にクリアランスを設けずとも、光学式ディスク状記録媒体排出状態において、弾性手段により保持溝内に凸部を確実に保持して凸部と保持溝との当接音の発生を防止することができるという効果がある。また、当接音防止専用の別部材を設ける必要がないので、部品点数や組立工数の増加による大幅なコスト増を招くことがないという効果がある。
【図面の簡単な説明】
【図１】この発明の実施の形態１による光ディスク再生装置の外部構成を示す概略斜視図である。
【図２】図１に示した光ディスク再生装置の光ディスク排出状態における内部構成を右斜め上方から見た斜視図である。
【図３】図１に示した光ディスク再生装置の光ディスク排出状態における内部構成を左斜め上方から見た斜視図である。
【図４】図１に示した光ディスク再生装置の光ディスク排出状態における外部構成を左側から見た側面図である。
【図５】図４に示した光ディスク再生装置における１つのスライド部材を内側から見た側面図である。
【図６】図１に示した光ディスク再生装置の光ディスク再生状態における内部構成を右斜め上方から見た斜視図である。
【図７】図１に示した光ディスク再生装置の光ディスク再生状態における内部構成を左斜め上方から見た斜視図である。
【図８】図１に示した光ディスク再生装置の光ディスク再生状態における外部構成を右側から見た側面図である。
【図９】この発明の実施の形態２による光ディスク再生装置における１つのスライド部材を内側から見た側面図である。
【符号の説明】
１  光ディスク再生装置、３  シャーシ、５  挿排口、７  搬送ローラ、９  回転軸、１１  光ディスク搬送動力伝達部材、１３  回転駆動モータ、１５  ギア、１７  光ディスク搬送部材、１９  板部、２１  第１ピン、２３  第２ピン、２５  光ディスク再生部、２７  ベース部材、２９  ターンテーブル、３０  光ピックアップ、３１  第１被保持ピン（凸部）、３３  第２被保持ピン（凸部）、３５  第３被保持ピン（凸部）、３７  光ディスク保持手段、３９  クランパ、４１  クランプアーム、４７  第１スライド部材、４９  第２スライド部材、５０  ラック、５１  第３スライド部材、５３  ラック、５５  斜面部、５７第１溝（保持溝）、５９  後部円形溝部、６１  前部長溝部、６３  上部領域（弾性手段）、６５  第１長穴（弾性手段）、６７  カム溝、６９  第２溝（保持溝）、７１  第３溝（保持溝）、７３  後部円形溝部、７５  前部長溝部、７７  上部領域（弾性手段）、７９  第２長穴（弾性手段）、８１  上部領域（弾性手段）、８３  第３長穴（弾性手段）、８５  薄肉部（弾性手段）、８７  薄肉部（弾性手段）、Ａ  光ディスク（光学式ディスク状記録媒体）。
【図１】
2004334960.tif 000003
【図２】
2004334960.tif 000004
【図３】
2004334960.tif 000005
【図４】
2004334960.tif 000006
【図５】
2004334960.tif 000007
【図６】
2004334960.tif 000008
【図７】
2004334960.tif 000009
【図８】
2004334960.tif 000010
【図９】
2004334960.tif 000011